【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
オーミック変調される再充電可能バッテリーであって、 第１の温度（Ｔ１）から第２の温度（Ｔ２）の間の前記バッテリーの温度範囲にわたる１つのレベルの内部抵抗（Ｒ１）と、Ｔ１またはＴ２のいずれかの外側での第２のレベルの内部抵抗（Ｒ２）とを有し、 Ｔ１よりも２℃低い温度でのＲ２の値が、Ｔ１でのＲ１の値の２倍以上５００倍以下の間の値を含み、または、Ｔ２よりも２℃高い温度でのＲ２の値が、Ｔ２でのＲ１の値の２倍以上５００倍以下の間の値を含む、前記再充電可能バッテリー。
【請求項２】
Ｔ２が、４５℃から１３０℃の間の範囲内の値を有する温度である、請求項２に記載の再充電可能バッテリー。
【請求項３】
Ｒ１で前記バッテリーを動作させるための少なくとも１つの負端子および少なくとも１つの正端子と、  Ｒ２で前記バッテリーを動作させるための少なくとも１つの高抵抗端子であって、前記バッテリーのセル内または前記バッテリーのセル間の少なくとも１つの抵抗器シートに電気接続される前記少なくとも１つの高抵抗端子と、  前記バッテリーの温度がＴ１またはＴ２のいずれかの外側にあるときに、Ｒ２を能動化するスイッチとを含む、請求項１または２に記載の再充電可能バッテリー。
【請求項４】
Ｒ２で前記バッテリーを動作させるための前記少なくとも１つの高抵抗端子が、追加の負端子である、請求項３に記載の再充電可能バッテリー。
【請求項５】
前記スイッチが、Ｒ１で前記バッテリーを動作させるための前記端子とＲ２で前記バッテリーを動作させるための前記端子との間で切り換わるために、温度センサーによって駆動される、請求項３に記載の再充電可能バッテリー。
【請求項６】
前記スイッチが、Ｒ１で前記バッテリーを動作させるための前記端子とＲ２で前記バッテリーを動作させるための前記端子との間で切り換わるために、熱によって自己能動化する、請求項３に記載の再充電可能バッテリー。
【請求項７】
前記スイッチが、電気化学的継電器および温度制御器、または、温度センサーを備えた固体継電器、または、温度センサーを備えたパワーＭＯＳＦＥＴ、または、温度センサーを備えた高電流スイッチ、または、バイメタルスイッチで構成される、請求項３に記載の再充電可能バッテリー。
【請求項８】
前記少なくとも１つの抵抗器シートが、黒鉛、高配向熱分解黒鉛（ＨＯＰＧ）、ステンレス鋼、ニッケル、クロム、ニクロム、銅、アルミニウム、チタン、またはこれらの組合せで作製される、請求項３に記載の再充電可能バッテリー。
【請求項９】
前記少なくとも１つの抵抗器シートが、０．１から５の間の数値を、アンペア・時（Ａｈ）を単位とするバッテリーの容量で割った値に等しい、オームを単位とする抵抗を有する、請求項３に記載の再充電可能バッテリー。
【請求項１０】
前記少なくとも１つの抵抗器シートが、電極−セパレーター積層体またはジェリーロールの内側に挟まれている、請求項３に記載の再充電可能バッテリー。
【請求項１１】
前記少なくとも１つの抵抗器シートが、その表面上に、ポリエチレン、ポリプロピレン、塩素化ポリプロピレン、ポリエステル、ポリイミド、ＰＶＤＦ、ＰＴＦＥ、ナイロン、またはこれらのコポリマーから選択される保護コーティングを有し、電極−セパレーター積層体またはジェリーロール内側の電解質からおよび前記バッテリ内の電解質から前記抵抗器シートを隔離する、請求項１０に記載の再充電可能バッテリー。
【請求項１２】
前記少なくとも１つの抵抗器シートが、バッテリーセルのタブの間、もしくはバッテリーのタブのサブグループの間、または多数のバッテリーセルのタブの間に介在する、請求項３に記載の再充電可能バッテリー。
【請求項１３】
前記少なくとも１つの抵抗器シートが、バッテリーモジュール内のセルの間に位置付けられる、請求項３に記載の再充電可能バッテリー。
【請求項１４】
前記少なくとも１つの抵抗器シートが、２つのタブを有するように構成され、一方のタブが、前記バッテリー内のその他の電極タブに電気接続されて低抵抗端子を形成し、前記少なくとも１つの抵抗器シートの他方のタブが、前記少なくとも１つの高抵抗端子を形成する、請求項３に記載の再充電可能バッテリー。
【請求項１５】
前記少なくとも１つの抵抗器シートが、銅またはアルミで作製されている、請求項３に記載の再充電可能バッテリー。
【請求項１６】
リチウムイオンバッテリーである請求項１〜１５のいずれか１項に記載の再充電可能バッテリー。
【請求項１７】
請求項１〜１６のいずれか１項に記載のオーミック変調される再充電可能バッテリーと、Ｒ１での前記バッテリーの動作とＲ２での前記バッテリーの動作との間で切り換わることができる制御器とを含むバッテリーシステム。
【請求項１８】
Ｔ１およびＴ２の温度を決定するための温度センサーをさらに含む請求項１７に記載のバッテリーシステム。
【請求項１９】
再充電可能バッテリーを動作させる方法であって、  第１の温度（Ｔ１）から第２の温度（Ｔ２）の間の前記バッテリーの温度範囲にわたる１つのレベルの内部抵抗（Ｒ１）を含むバッテリーを動作させるステップと、  前記バッテリーの温度がＴ１またはＴ２のいずれかの外側にあるときに、Ｒ２を能動化するスイッチを能動化することによって、Ｔ１またはＴ２のいずれかの外側での第２のレベルの内部抵抗（Ｒ２）で前記バッテリーを動作させるステップとを含む前記方法。 
【手続補正２】
【補正対象書類名】明細書
【補正対象項目名】００９６
【補正方法】変更
【補正の内容】
【００９６】  本発明の好ましい実施形態およびその多様性の例のみを、本開示で示し記述する。本発明は、様々なその他の組合せおよび環境で使用することが可能であり、本明細書で表されるような本発明の概念の範囲内で変更または修正することが可能であることを理解されたい。したがって例えば、当業者なら、通常の実験方法を使用するだけで、本明細書に記述される特定の物質、手順、および配置構成の数多くの均等物を認識しまたは確認することができるであろう。そのような均等物は、本発明の範囲内にあると見なされかつ下記の特許請求の範囲により包含される。 なお、本発明には以下の態様が含まれることを付記する。〔１〕  オーミック変調される再充電可能バッテリー。〔２〕  第１の温度（Ｔ１）から第２の温度（Ｔ２）の間の前記バッテリーの温度範囲全体にわたる１つのレベルの内部抵抗（Ｒ１）と、Ｔ１またはＴ２のいずれかの外側での第２のレベルの内部抵抗（Ｒ２）とを有し、  Ｔ１よりも約２℃低い温度でのＲ２の値が、Ｔ１でのＲ１の値の２倍以上５００倍以下の間の値を含み、または、Ｔ２よりも約２℃高い温度でのＲ２の値が、Ｔ２でのＲ１の値の２倍以上５００倍以下の間の値を含む、〔１〕に記載の再充電可能バッテリー。〔３〕  Ｔ２が、約４５℃から約１３０℃の間の範囲内の値を有する温度である、〔２〕に記載の再充電可能バッテリー。〔４〕  前記バッテリーは、前記バッテリーが第３の温度（Ｔ３）に達したときに第３のレベルの内部抵抗（Ｒ３）を有し、Ｔ３よりも約２℃高い温度でのＲ３の値が、Ｔ３でのＲ２の値の少なくとも２倍であり、Ｔ３が、８０℃から１３０℃の間の範囲内の値を有する温度である、〔２〕に記載の再充電可能バッテリー。〔５〕  Ｒ１で前記バッテリーを動作させるための少なくとも１つの負端子および少なくとも１つの正端子と、  Ｒ２で前記バッテリーを動作させるための少なくとも１つの高抵抗端子と、  前記バッテリーの温度がＴ１またはＴ２のいずれかの外側にあるときに、Ｒ２を能動化するスイッチとを含む、〔２〕に記載の再充電可能バッテリー。〔６〕  前記少なくとも１つの高抵抗端子が、前記バッテリーのセル内または前記バッテリーのセル間の少なくとも１つの抵抗器シートに電気接続される、〔５〕に記載の再充電可能バッテリー。〔７〕  Ｒ２で前記バッテリーを動作させるための前記少なくとも１つの高抵抗端子が、追加の負端子である、〔５〕に記載の再充電可能バッテリー。〔８〕  前記スイッチが、Ｒ１で前記バッテリーを動作させるための前記端子とＲ２で前記バッテリーを動作させるための前記端子との間で切り換わるために、温度センサーによって駆動される、〔５〕に記載の再充電可能バッテリー。〔９〕  前記スイッチが、Ｒ１で前記バッテリーを動作させるための前記端子とＲ２で前記バッテリーを動作させるための前記端子との間で切り換わるために、熱によって自己能動化する、〔５〕に記載の再充電可能バッテリー。〔１０〕  前記自己能動化スイッチが、凍結によって膨張しかつ前記スイッチを押して開放する水をベースにしたカプセル、Ｔ１もしくはＴ２またはその両方で相転移および目に見えるほどの体積変化を受ける相変化材料、バイメタルスイッチ、または、温度Ｔ１もしくは���２またはその両方でその体積が目に見えるほど膨張する固体材料の中から選択されるスイッチである、〔９〕に記載の再充電可能バッテリー。〔１１〕  前記スイッチが、電気化学的継電器および温度制御器で構成され、または、温度センサーを備えた固体継電器、温度センサーを備えたパワーＭＯＳＦＥＴ、もしくは温度センサーを備えた高電流スイッチで構成される、〔５〕に記載の再充電可能バッテリー。〔１２〕  前記少なくとも１つの抵抗器シートが、黒鉛、高配向熱分解黒鉛（ＨＯＰＧ）、ステンレス鋼、ニッケル、クロム、ニクロム、銅、アルミニウム、チタン、またはこれらの組合せで作製される、〔６〕に記載の再充電可能バッテリー。〔１３〕  前記少なくとも１つの抵抗器シートが、０．１から５の間の数値を、アンペア・時（Ａｈ）を単位とするバッテリーの容量で割った値に等しい、オームを単位とする抵抗を有する、〔６〕に記載の再充電可能バッテリー。〔１４〕  前記少なくとも１つの抵抗器シートが、電極−セパレーター積層体またはジェリーロールの内側に挟まれ、前記少なくとも１つの抵抗器シートが、ポリマーまたは酸化物の薄層で任意選択でコーティングされて、前記抵抗器シートを前記バッテリー内の電解質から隔離する、〔６〕に記載の再充電可能バッテリー。〔１５〕  前記少なくとも１つの抵抗器シートが、バッテリーセルのタブの間、もしくはバッテリーのタブのサブグループの間、または多数のバッテリーセルのタブの間に介在する、〔６〕に記載の再充電可能バッテリー。〔１６〕  前記少なくとも１つの抵抗器シートが、バッテリーモジュール内のセルの間に位置付けられる、〔６〕に記載の再充電可能バッテリー。〔１７〕  前記少なくとも１つの抵抗器シートが、２つのタブを有するように構成され、一方のタブが、前記バッテリー内のその他の電極タブに電気接続されて低抵抗端子を形成し、前記少なくとも１つの抵抗器シートの他方のタブが、前記少なくとも１つの高抵抗端子を形成する、〔６〕に記載の再充電可能バッテリー。〔１８〕  前記少なくとも１つの抵抗器シートが、バッテリーセルで使用される２つの金属集電器のいずれかもしくは両方、または前記２つの金属集電器の一部と同じである、〔６〕に記載の再充電可能バッテリー。〔１９〕  前記少なくとも１つの抵抗器シートが、銅またはアルミ箔で作製される、〔１８〕に記載の再充電可能バッテリー。〔２０〕  １つまたは複数の正の温度係数（ＰＴＣ）の材料を含む電極を含む〔１〕または〔２〕に記載の再充電可能バッテリー。〔２１〕  電極を作製する際の結合剤、または界面活物質および集電箔用の伝導性ニカワを作製する際の結合剤、もしくは多孔質電極用の細孔充填剤のいずれかとして、１種または複数の熱膨張性ポリマーを含む電極を含む、〔１〕または〔２〕に記載の再充電可能バッテリー。〔２２〕  リチウムイオンバッテリーである〔１〕または〔２〕に記載の再充電可能バッテリー。〔２３〕  〔２〕に記載のオーミック変調されるバッテリーと、Ｒ１での前記バッテリーの動作とＲ２での前記バッテリーの動作との間で切り換わることができる制御器とを含むバッテリーシステム。〔２４〕  Ｔ１およびＴ２の温度を決定するための温度センサーをさらに含む〔２３〕に記載のバッテリーシステム。〔２５〕  再充電可能バッテリーを動作させる方法であって、  第１の温度（Ｔ１）から第２の温度（Ｔ２）の間の前記バッテリーの温度範囲全体にわたる１つのレベルの内部抵抗（Ｒ１）を含むバッテリーを動作させるステップと、  前記バッテリーの温度がＴ１またはＴ２のいずれかの外側にあるときに、Ｒ２を能動化するスイッチを能動化することによって、Ｔ１またはＴ２のいずれかの外側での第２のレベルの内部抵抗（Ｒ２）で前記バッテリーを動作させるステップとを含む前記方法。